(57)【特許請求の範囲】
【請求項１】
外槽内に内槽が所定の断熱空間を有して内設されて成る低温貯槽において、
所定長さの直線状の管路部材が継ぎ目に隙間を有して接合されて前記隙間を通気口として形成された熱媒体用管路が、前記断熱空間の内部にその底面に沿って敷設されると共に、前記熱媒体用管路への供給口が前記外槽外に突設され、該供給口が前記低温貯槽の外部に設けられた熱媒体加熱供給装置と接続されて当該熱媒体加熱供給装置により加熱された熱媒体が前記熱媒体用管路を介して前記断熱空間に供給されるように構成されていることを特徴とする低温貯槽の残液気化促進構造。
【発明の詳細な説明】
【０００１】
【産業上の利用分野】
本発明は、外槽内に内槽が所定の断熱空間を有して内設されて成る低温貯槽における残液気化促進構造に関し、開放点検時の残液の排出を短時間にできるようにしたものである。
【０００２】
【従来の技術】
液化天然ガスや液化プロパンガス等の低温液化ガスを貯蔵する低温貯槽として、図５に示すようなものがある。これは、基礎スラブ１１上に、外槽１２が設けられると共に、この外槽１２内に内槽１３が断熱空間（保冷空間１４）を有して設けられ、保冷空間１４内には粒状断熱材が充填されて構成される。
【０００３】
貯槽からの低温貯液の取り出しは、内外槽の側板１２Ａ，１３Ａを貫通して貯槽内と外部とを連通する排出パイプ１５を介して行うが、この排出パイプ１５の配設位置は設備安全の観点から貯槽側部に規制されている。
【０００４】
【発明が解決しようとする課題】
ところで、低温貯槽に限るものではないが貯槽は所定期間使用に供された後安全確認のために内部点検（疲労の程度を調べ必要に応じて補修）を行う必要があるが、このような内部点検の際には当然のことながら貯液を全て取り出して開放しなければならない。
【０００５】
貯槽からの貯液の取り出しは、前述のごとく貯槽側部に設けられた排出パイプ１５を介して行うが、この排出パイプ１５の配設位置の関係から貯槽底部に排出不能の残液１６が不可避的に生じ、これら残液１６は気化させて取り出すしか他に方法がない。ところが、低温貯槽は内部を保冷するべく構成されているものであるために内部温度が上昇せず、従って残液の気化は極めて遅い。このため、気化を促進するために貯槽内部に加熱した窒素ガスやメタンガスを送り込むことが行われるが、そのための装置を仮設しなければならないと共に、容量の大きい貯槽内を高温のガスで満たすことは容易ではなく、また、ガスと残液の液面での熱交換は効率が悪いために残液の気化を効率的に促進することはできないものであった。
【０００６】
その結果、貯液の種類やその残液の量にもよるが、残液を全て気化させて貯槽を空にするのに長い時間を要し、特に沸点の高い貯液の場合には数カ月を要することも希ではなく、その間はもちろん貯槽を使用することができないため、貯槽の稼働効率が悪化し、経済的損失が極めて大きいという問題があった。
【０００７】
本発明は、上記問題に鑑みてなされたものであって、貯槽開放時において貯槽内に残存する貯液の気化を促進し、貯槽の迅速な開放を可能として貯槽の稼働効率の悪化を防ぐことのできる低温貯槽の残液気化促進構造を提供することを目的とする。
【０００８】
【課題を解決するための手段】
上記目的を達成する低温貯槽の残液気化促進構造は、外槽内に内槽が所定の断熱空間を有して内設されて成る低温貯槽において、所定長さの直線状の管路部材が継ぎ目に隙間を有して接合されて前記隙間を通気口として形成された熱媒体用管路が、前記断熱空間の内部にその底面に沿って敷設されると共に、前記熱媒体用管路への供給口が前記外槽外に突設され、該供給口が前記低温貯槽の外部に設けられた熱媒体加熱供給装置と接続されて当該熱媒体加熱供給装置により加熱された熱媒体が前記熱媒体用管路を介して前記断熱空間に供給されるように構成されていることを特徴とする。
【００１１】
【作用】
上記構成によれば、低温貯槽の外部に設けられた熱媒体加熱供給装置によって加熱した媒体を供給口から熱媒体用管路内に送り込むことにより、加熱された熱媒体が断熱空間を介して貯槽内の残液を加熱し、その気化を促進する。また、その熱媒体用管路は、断熱空間内の空気を不活性ガスに置換するパージの際に兼用利用できる。
【００１３】
【発明の実施例】
以下添付図面を参照して本発明の実施例について説明する。
ここでは、まず、本発明の参考例について説明する。
図1は本発明に係る低温貯槽の残液気化促進構造の参考例を備えた低温貯槽の断面図である。
【００１４】
図示低温貯槽１は、基礎スラブ１０の上面に外槽２０が設けられ、その外槽２０内に内槽３０が設けられて構成されている。
【００１５】
内槽３０は、基礎スラブ１０の上面に敷設された断熱コンクリート製の保冷基盤４０上に設けられ、その側板３１及び天板３２と外槽２０の側板２１及び天板２２との間には、断熱空間として必要な間隔の保冷空間５０が形成されている。この保冷空間５０内には、図示しないが粒状断熱材が充填されている。
【００１６】
貯槽側部には、排出パイプ６０が内外槽２０，３０の側板２１，３１及び保冷空間５０を貫通して貯槽内部（内槽２０内部）と外部とを連通して配設されている。その貯槽内部側の端部は内底面３３側に屈曲されているが、内底面３３との間には隙間を有し、低温貯槽１を開放すべく貯液を排出する際にはこの隙間分の貯液が排出不能として残存する（残液２が生ずる）。
【００１７】
保冷基盤４０内には、その表面に近い（浅い）部位に、熱媒体用管路としての加熱管７０が埋設されている。加熱管７０は、保冷基盤４０内の全域を巡り、その両端の供給口７１と排出口７２（図は一方のみ表れる）は外槽２０の外まで配設されている。供給口７１及び排出口７２にはそれぞれバルブ７３，７４が設けられ、通常はこのバルブ７３，７４によって閉塞されている。
【００１８】
而して、上記構成の低温貯槽１では、内部点検等の際には排出パイプ６０を介して貯液を排出した後の残液２を下記のごとくして完全に気化させて開放する。
【００１９】
即ち、熱媒体加熱供給装置８０を貯槽近傍に仮設すると共に、この熱媒体加熱供給装置８０と加熱管７０の供給口７１及び排出口７２を接続し、この熱媒体加熱供給装置８０によって、加熱した熱媒体を供給口７１から加熱管７０内に供給し、加熱管７０を通って保冷基盤４０内を巡った熱媒体を排出口７２から回収して加熱循環させる。これにより、加熱管７０内を通る熱媒体が保冷基盤４０を加熱し、この保冷基盤４０が残液２を加熱してその気化を促進するものである。熱媒体としては、水（水蒸気を含む）又は不活性ガス等を用いることができる。
【００２０】
なお、上記参考例は、加熱管７０を保冷基盤４０内に埋設して構成したものであるが、図２に示すように内槽３０内の内底面３３に沿って加熱管７０を敷設配設しても良い。本構成によれば保冷基盤４０内に埋設する構成に比較して施工が簡単となり、既設の貯槽にも容易に追加設置できる。図中前述の参考例と同機能の部位には同符号を付してある。
【００２１】
図３は、本発明に係る低温貯槽の残液気化促進構造の一実施例を備えた低温貯槽の断面図である。図中前述の参考例と同機能の部位には同符号を付す。図示実施例は、保冷空間４０の下部に、当該保冷空間４０の周方向に沿って加熱管９０を配設したものである。
【００２２】
加熱管９０は、図４に当該部位の概略平面図を示すように、所定長さの直線状の鋼管９１が、継ぎ目に通気口としての隙間９２を有して多角形状に結合されて構成され、その内の一カ所に貯槽外部と連通する供給口９３が接続されている。
【００２３】
本構成では、前述の参考例と同様に、熱媒体加熱供給装置８０を貯槽近傍に仮設すると共に、この熱媒体加熱供給装置８０と加熱管９０の供給口９３を接続し、この熱媒体加熱供給装置８０によって加熱した熱媒体を供給口９３から加熱管９０内に供給する。これにより、加熱管９０内に供給された熱媒体が隙間９３から保冷空間５０内に充填供給され、内槽３０をその外側から加熱して残液２の気化を促進する。熱媒体としては、保冷空間５０内に水分が入ると後の使用上好ましくないために乾燥した不活性ガスを用いる。
【００２４】
なお、本構成の加熱管９０は、当該低温貯槽１の使用開始時において保冷空間５０内の酸素を含む空気を窒素ガス等によってパージする際にも、利用することができる。
【００２５】
【発明の効果】
以上説明したように、本発明に係る低温貯槽の残液気化促進構造によれば、低温貯槽の外部に設けられた熱媒体加熱供給装置によって加熱した媒体を供給口から熱媒体用管路内に送り込むことにより、加熱された熱媒体が断熱空間を介して貯槽内の残液を加熱し、その気化を促進する。このため、残液を短期間で気化させることができ、貯槽を迅速に開放させることができる。その結果、内部点検に要する期間を短縮させて貯槽の稼働効率を向上させることができるものである。また、熱媒体用管路は、断熱空間内の空気を不活性ガスに置換するパージの際に兼用利用できるため、合理的である。
【図面の簡単な説明】
【図１】本発明に係る低温貯槽の残液気化促進構造の参考例を備えた低温貯槽の断面図である。
【図２】他の参考例を備えた低温貯槽の断面図である。
【図３】本発明に係る低温貯槽の残液気化促進構造の一実施例を備えた低温貯槽の断面図である。
【図４】その加熱管の配置を示す概略平面図である。
【図５】従来例としての低温貯槽の断面図である。
【符号の説明】
１ 低温貯槽
２０ 外槽
３０ 内槽
４０ 保冷基盤（基盤）
５０ 断熱空間（保冷空間）
７０ 加熱管（熱媒体用管路）
７１ 供給口
７２ 排出口
８０ 熱媒体加熱供給装置
９０ 加熱管（熱媒体用管路）
９２ 隙間（通気口）
９３ 供給口
【図１】
0003596082.tif 000002
【図２】
0003596082.tif 000003
【図３】
0003596082.tif 000004
【図４】
0003596082.tif 000005
【図５】
0003596082.tif 000006